(57)【特許請求の範囲】
【請求項１】
二次元の行列上に配置される複数のセルを含むカレンダーを表示するための表示制御部と、
前記カレンダーのセルに表示される情報に基づいた処理が可能な処理部とを備え、
各セルは１日に対応し、
前記カレンダーにおいて、同一横軸上のセルは、１週間に対応し、
前記カレンダーにおいて、同一縦軸上のセルは、同一の曜日に対応し、
前記カレンダーにおいて、二次元の行列上に配置される複数のセルは、複数の週に対応し、
前記複数のセルのうち、過去の日付に対応するセルは、予約に従って録画された番組に関する録画番組情報を含み、
前記複数のセルのうち、未来の日付に対応するセルは、録画するための予約がなされた番組に関する録画予約情報を含み、
前記複数のセルのうち、現在の日付に対応する現在セルは、録画するための予約がなされた番組に関する録画予約情報と、予約に従って録画された番組に関する録画番組情報との双方を含みうるものであって、
前記現在セルが選択操作される場合、
前記表示制御部は、前記現在セルに対応する日付で録画するための予約が可能な番組の情報の一覧、又は既に録画された番組の情報の一覧を選択するための第１選択メニューを表示するための制御を行うものであって、
前記第１選択メニューに対する操作の後、前記現在セルに対応する日付の１以上の番組の録画を予約可能な状態、又は前記現在セルに対応する日付の１以上の既に録画された番組の再生を開始可能な状態に移行可能とし、
録画失敗を示すマークを含む過去の日付に対応するセルが選択操作される場合、
前記表示制御部は、録画失敗した番組の少なくとも録画予約を可能とするための第２選択メニューを表示するための制御を行うものであって、前記第２選択メニューに対する操作の後、録画失敗した番組の録画を予約する、
ことを特徴とする電子機器。
【請求項２】
過去の日付に対応するセルが選択される場合に、前記表示制御部は、選択されたセルに対応する過去の日付で、既に録画された番組の情報の一覧を表示することを特徴とする請求項１に記載の電子機器。
【請求項３】
未来の日付に対応するセルが選択される場合に、前記表示制御部は、選択されたセルに対応する未来の日付で、録画するための予約が可能な番組の情報の一覧を出力することを特徴とする請求項１または請求項２に記載の電子機器。
【請求項４】
前記表示制御部は、前記カレンダーに含まれる現在の日付に対応するセルの表示形態を、前記カレンダーに含まれる過去の日付に対応するセル、または、前記カレンダーに含まれる未来の日付に対応するセルの表示形態と異なるものとして、表示することを特徴とする請求項１乃至請求項３のいずれか１項に記載の電子機器。
【請求項５】
前記表示制御部は、１つのセルに対して表示すべき録画番組情報又は録画予約情報の情報量が閾値を超える場合、少なくとも一部の録画番組情報又は録画予約情報の情報を除外して、録画番組情報又は録画予約情報を表示することを特徴とする請求項１乃至請求項４のいずれか１項に記載の電子機器。
【請求項６】
前記複数のセルのうち、過去の日付に対応するセルは、予約に従った録画が失敗した番組に関する録画失敗情報を含むことを特徴とする請求項１乃至請求項５のいずれか１項に記載の電子機器。
【請求項７】
前記処理部は、前記カレンダーに含まれる録画番組情報を選択する操作に基づいて、録画番組情報に対応する番組の再生処理を実行可能であることを特徴とする請求項１乃至請求項６のいずれか１項に記載の電子機器。
【請求項８】
前記処理部は、前記カレンダーに含まれる録画失敗情報を選択する操作に基づいて、録画失敗情報に対応する番組の録画を予約可能であることを特徴とする請求項６に記載の電子機器。
【請求項９】
前記複数のセルのうち、未来の日付に対応するセルは、ユーザに対して視聴を推薦される番組に関する推薦番組情報を含むことを特徴とする請求項１乃至請求項８のいずれか１項に記載の電子機器。
【請求項１０】
前記処理部は、前記カレンダーに含まれる推薦番組情報を選択する操作に基づいて、推薦番組情報に対応する番組の録画を予約可能であることを特徴とする請求項９に記載の電子機器。
【請求項１１】
二次元の行列上に配置される複数のセルを含むカレンダーを表示し、
前記カレンダーのセルに表示される情報に基づいた処理を実行する情報処理方法であって、
各セルは１日に対応し、
前記カレンダーにおいて、同一横軸上のセルは、１週間に対応し、
前記カレンダーにおいて、同一縦軸上のセルは、同一の曜日に対応し、
前記カレンダーにおいて、二次元の行列上に配置される複数のセルは、複数の週に対応し、
前記複数のセルのうち、過去の日付に対応するセルは、予約に従って録画された番組に関する録画番組情報を含み、
前記複数のセルのうち、未来の日付に対応するセルは、録画するための予約がなされた番組に関する録画予約情報を含み、
前記複数のセルのうち、現在の日付に対応する現在セルは、録画するための予約がなされた番組に関する録画予約情報と、予約に従って録画された番組に関する録画番組情報との双方を含みうるものであって、
前記現在セルが選択操作される場合、
前記現在セルに対応する日付で録画するための予約が可能な番組の情報の一覧、又は既に録画された番組の情報の一覧を選択するための第１選択メニューを表示するための制御を行い、
前記第１選択メニューに対する操作の後、前記現在セルに対応する日付の１以上の番組の録画を予約可能な状態、又は前記現在セルに対応する日付の１以上の既に録画された番組の再生を開始可能な状態に移行可能とし、
録画失敗を示すマークを含む過去の日付に対応するセルが選択操作される場合、
録画失敗した番組の少なくとも録画予約を可能とするための第２選択メニューを表示するための制御を行い、前記第２選択メニューに対する操作の後、録画失敗した番組の録画を予約する、
ことを特徴とする情報処理方法。
【請求項１２】
過去の日付に対応するセルが選択される場合に、選択されたセルに対応する過去の日付で、既に録画された番組の情報の一覧を表示することを特徴とする請求項１１に記載の情報処理方法。
【請求項１３】
未来の日付に対応するセルが選択される場合に、選択されたセルに対応する未来の日付で、録画するための予約が可能な番組の情報の一覧を出力することを特徴とする請求項１１または請求項１２に記載の情報処理方法。
【請求項１４】
前記カレンダーに含まれる現在の日付に対応するセルの表示形態を、前記カレンダーに含まれる過去の日付に対応するセル、または、前記カレンダーに含まれる未来の日付に対応するセルの表示形態と異なるものとして、表示することを特徴とする請求項１１乃至請求項１３のいずれか１項に記載の情報処理方法。
【請求項１５】
１つのセルに対して表示すべき録画番組情報又は録画予約情報の情報量が閾値を超える場合、少なくとも一部の録画番組情報又は録画予約情報の情報を除外して、録画番組情報又は録画予約情報を表示することを特徴とする請求項１１乃至請求項１４のいずれか１項に記載の情報処理方法。
【請求項１６】
二次元の行列上に配置される複数のセルを含むカレンダーを表示する手順と、
前記カレンダーのセルに表示される情報に基づいた処理を実行する手順とをコンピュータに実行させる情報処理プログラムであって、
各セルは１日に対応し、
前記カレンダーにおいて、同一横軸上のセルは、１週間に対応し、
前記カレンダーにおいて、同一縦軸上のセルは、同一の曜日に対応し、
前記カレンダーにおいて、二次元の行列上に配置される複数のセルは、複数の週に対応し、
前記複数のセルのうち、過去の日付に対応するセルは、予約に従って録画された番組に関する録画番組情報を含み、
前記複数のセルのうち、未来の日付に対応するセルは、録画するための予約がなされた番組に関する録画予約情報を含み、
前記複数のセルのうち、現在の日付に対応する現在セルは、録画するための予約がなされた番組に関する録画予約情報と、予約に従って録画された番組に関する録画番組情報との双方を含みうるものであって、
前記現在セルが選択操作される場合、
前記現在セルに対応する日付で録画するための予約が可能な番組の情報の一覧、又は既に録画された番組の情報の一覧を選択するための第１選択メニューを表示するための制御を行い、
前記第１選択メニューに対する操作の後、前記現在セルに対応する日付の１以上の番組の録画を予約可能な状態、又は前記現在セルに対応する日付の１以上の既に録画された番組の再生を開始可能な状態に移行可能とする、手順と、
録画失敗を示すマークを含む過去の日付に対応するセルが選択操作される場合、
録画失敗した番組の少なくとも録画予約を可能とするための第２選択メニューを表示するための制御を行い、前記第２選択メニューに対する操作の後、録画失敗した番組の録画を予約する、手順と、
をコンピュータに実行させる情報処理プログラム。
【請求項１７】
過去の日付に対応するセルが選択される場合に、選択されたセルに対応する過去の日付で、既に録画された番組の情報の一覧を表示することを特徴とする請求項１６に記載の情報処理プログラム。
【請求項１８】
未来の日付に対応するセルが選択される場合に、選択されたセルに対応する未来の日付で、録画するための予約が可能な番組の情報の一覧を出力することを特徴とする請求項１６または請求項１７に記載の情報処理プログラム。
【請求項１９】
前記カレンダーに含まれる現在の日付に対応するセルの表示形態を、前記カレンダーに含まれる過去の日付に対応するセル、または、前記カレンダーに含まれる未来の日付に対応するセルの表示形態と異なるものとして、表示することを特徴とする請求項１６乃至請求項１８のいずれか１項に記載の情報処理プログラム。
【請求項２０】
１つのセルに対して表示すべき録画番組情報又は録画予約情報の情報量が閾値を超える場合、少なくとも一部の録画番組情報又は録画予約情報の情報を除外して、録画番組情報又は録画予約情報を表示することを特徴とする請求項１６乃至請求項１８のいずれか１項に記載の情報処理プログラム。
【発明の詳細な説明】
【技術分野】
【０００１】
本発明は、ハードディスク等に複数の番組を録画し、複数の録画番組の中から選択される所望の録画番組を再生する番組録画再生装置及び番組録画再生方法に関する。
【背景技術】
【０００２】
近年、ハードディスク等に複数の番組を録画し、再生メニューに一覧表示される複数の録画番組の中から選択される所望の録画番組を再生する番組録画再生装置の普及が目覚しい。
【０００３】
このような番組録画再生装置は、放送波又はＬＡＮを介して電子番組ガイド（Electronic Program Guide）を取得し、電子番組ガイド上の簡単操作により録画予約を受け付けることができる。さらに、番組録画再生装置は、録画予約情報を一覧表示したり、録画予約情報に基づき録画された録画番組情報を一覧表示したりすることができる。
【０００４】
例えば、カレンダー上に予約情報を重畳表示する技術が開示されている（特許文献１参照）。また、日付と時刻の軸を持つ領域に録画予約情報と録画番組情報を表示する技術が開示されている（特許文献２参照）。
【先行技術文献】
【特許文献】
【０００５】
【特許文献１】特開平１０−１１２０８７号公報
【特許文献２】特開２０００−２７８６３９号公報
【発明の概要】
【発明が解決しようとする課題】
【０００６】
しかしながら、上記した技術には以下の問題がある。
【０００７】
（１）複数同時録画等で予約が重なった時はわかり難い。
【０００８】
（２）月間や週間単位の確認がし難い。大雑把に予約状況や録画タイトルを把握し難い。
【０００９】
（３）月間や週間に渡る予約、再生操作がし難い。
【００１０】
本発明の目的は、上記課題を解決するためになされたものであり、録画予約情報及び録画番組情報を分かり易く案内することが可能な電子機器、情報処理方法、及び情報処理プログラムを提供することにある。
【課題を解決するための手段】
【００１１】
この発明の番組録画再生装置及び番組録画再生方法は、以下のように構成されている。
【００１２】
この発明の電子機器は、二次元の行列上に配置される複数のセルを含むカレンダーを表示するための表示制御部と、前記カレンダーのセルに表示される情報に基づいた処理が可能な処理部とを備え、
各セルは１日に対応し、前記カレンダーにおいて、同一横軸上のセルは、１週間に対応し、前記カレンダーにおいて、同一縦軸上のセルは、同一の曜日に対応し、前記カレンダーにおいて、二次元の行列上に配置される複数のセルは、複数の週に対応し、
前記複数のセルのうち、過去の日付に対応するセルは、予約に従って録画された番組に関する録画番組情報を含み、前記複数のセルのうち、未来の日付に対応するセルは、録画するための予約がなされた番組に関する録画予約情報を含み、
前記複数のセルのうち、現在の日付に対応する現在セルは、録画するための予約がなされた番組に関する録画予約情報と、予約に従って録画された番組に関する録画番組情報との双方を含みうるものであって、前記現在セルが選択操作される場合、
前記表示制御部は、前記現在セルに対応する日付で録画するための予約が可能な番組の情報の一覧、又は既に録画された番組の情報の一覧を選択するための第１選択メニューを表示するための制御を行うものであって、前記第１選択メニューに対する操作の後、前記現在セルに対応する日付の１以上の番組の録画を予約可能な状態、又は前記現在セルに対応する日付の１以上の既に録画された番組の再生を開始可能な状態に移行可能とし、
録画失敗を示すマークを含む過去の日付に対応するセルが選択操作される場合、
前記表示制御部は、録画失敗した番組の少なくとも録画予約を可能とするための第２選択メニューを表示するための制御を行うものであって、前記第２選択メニューに対する操作の後、録画失敗した番組の録画を予約する。
【００１３】
この発明の情報処理方法は、二次元の行列上に配置される複数のセルを含むカレンダーを表示し、前記カレンダーのセルに表示される情報に基づいた処理を実行する情報処理方法であって、各セルは１日に対応し、前記カレンダーにおいて、同一横軸上のセルは、１週間に対応し、前記カレンダーにおいて、同一縦軸上のセルは、同一の曜日に対応し、前記カレンダーにおいて、二次元の行列上に配置される複数のセルは、複数の週に対応し、
前記複数のセルのうち、過去の日付に対応するセルは、予約に従って録画された番組に関する録画番組情報を含み、前記複数のセルのうち、未来の日付に対応するセルは、録画するための予約がなされた番組に関する録画予約情報を含み、
前記複数のセルのうち、現在の日付に対応する現在セルは、録画するための予約がなされた番組に関する録画予約情報と、予約に従って録画された番組に関する録画番組情報との双方を含みうるものであって、前記現在セルが選択操作される場合、
前記現在セルに対応する日付で録画するための予約が可能な番組の情報の一覧、又は既に録画された番組の情報の一覧を選択するための第１選択メニューを表示するための制御を行い、前記第１選択メニューに対する操作の後、前記現在セルに対応する日付の１以上の番組の録画を予約可能な状態、又は前記現在セルに対応する日付の１以上の既に録画された番組の再生を開始可能な状態に移行可能とし、
録画失敗を示すマークを含む過去の日付に対応するセルが選択操作される場合、
録画失敗した番組の少なくとも録画予約を可能とするための第２選択メニューを表示するための制御を行い、前記第２選択メニューに対する操作の後、録画失敗した番組の録画を予約する。
【発明の効果】
【００１４】
本発明によれば、録画予約情報及び録画番組情報を分かり易く案内することが可能な電子機器、情報処理方法、及び情報処理プログラムを提供できる。
【図面の簡単な説明】
【００１５】
【図１】図１は、本発明の一実施形態に係る情報記録再生装置（番組録画再生装置）の概略構成を示すブロック図である。
【図２】図２は、カレンダー機能により表示されるカレンダーの一例を示す図である。
【図３】図３は、カレンダー上に表示される各種マークとこれらマークの意味との対応を示す図である。
【図４】図４は、カレンダー上のカーソル位置と選択操作（決定キーの押下）後の動作の関係を示す図である。
【図５】図５は、カレンダー上のカーソル位置と選択操作（決定キーの押下）後の動作の関係を示す図である。
【図６】図６は、カレンダー機能を説明するためのフローチャートである。
【図７】図７は、容量不足通知処理を説明するためのフローチャートである。
【発明を実施するための形態】
【００１６】
以下、図面を参照し、本発明の実施形態について説明する。
【００１７】
図１は、本発明の一実施形態に係る情報記録再生装置（番組録画再生装置）の概略構成を示すブロック図である。
【００１８】
図１に示す情報記録再生装置は、ＤＶＤなどの光ディスク１０とハードディスク部１４の双方に番組を録画することができる。なお、この情報記録再生装置は、番組の録画先として、例えば半導体メモリを備えることもできる。
【００１９】
図１において、左側には記録部の主なブロックが示され、右側には再生部の主なブロックが示されている。情報記録再生装置は、ディスクドライブ部１２、ハードディスクドライブ部１４の２種類のディスクドライブ部を備える。ディスクドライブ部１２は、光ディスク１０を回転駆動し、情報の読み書きを実行する。ディスクドライブ部１２は、光ディスク１０に対する回転制御系、レーザ駆動系、光学系などを備える。また、ハードディスクドライブ部１４は、ハードディスクを駆動し、情報の読み書きを実行する。
【００２０】
また、情報記録再生装置は、データプロセッサ部１６を備え、このデータプロセッサ部１６は、ディスクドライブ部１２及びハードディスクドライブ部１４に記録データを供給し、また、ディスクドライブ部１２及びハードディスクドライブ部１４により読み出された再生データを受け取る。データプロセッサ部１６は、所定単位の記録データまたは再生データを処理し、バッファ回路、変調・復調回路、エラー訂正回路などを備える。
【００２１】
また、情報記録再生装置は、エンコーダ部３０、デコーダ部５０、マイクロコンピュータブロック７０を備えている。エンコーダ部３０には、スイッチ２０を介して、ＡＶ入力部１８ａからの外部アナログビデオ信号と外部アナログオーディオ信号が入力される。また、エンコーダ部３０には、スイッチ２０を介して、地上波アナログチューナ１８ｂ、地上波デジタルチューナ１８ｃ、衛星ＢＳ／ＣＳチューナ１８ｄ、衛星アナログチューナ１８ｅからの受信信号が選択的に入力される。例えば、この情報記録再生装置は、地上波デジタルチューナ１８ｃで受信した番組をハードディスクドライブ部１４により録画しつつ、同時に、衛星ＢＳ／ＣＳチューナ１８ｄで受信した番組をデコーダ５０により再生することができる。
【００２２】
エンコーダ部３０は、トランスポートストリーム処理部及び複数のエンコーダを備えており、各エンコーダはアナログデジタルコンバータ、ビデオエンコーダ（主映像エンコーダと副映像エンコーダ）及びオーディオエンコーダを備えている。アナログデジタルコンバータは、入力されたアナログビデオ信号やアナログオーディオ信号をデジタル化する。主映像エンコーダはデジタルビデオ信号の主映像信号をエンコードし、オーディオエンコーダはデジタルオーディオ信号をエンコードし、副映像エンコーダはデジタルビデオ信号の副映像信号をエンコードする。より具体的には、ビデオエンコーダは、デジタルビデオ信号をＭＰＥＧ２またはＭＰＥＧ１規格に基づいて可変ビットレートで圧縮する。オーディオエンコーダは、デジタルオーディオ信号をＭＰＥＧまたはＡＣ−３規格に基づいて固定ビットレートで圧縮する。
【００２３】
ＡＶ入力部１８ａからの副映像信号（例えば副映像信号の独立出力端子付ＤＶＤビデオプレーヤからの信号）がエンコーダ部３０に対して入力された場合、あるいは副映像信号が含まれたＤＶＤビデオ信号がＴＶチューナ部で受信された場合は、ＤＶＤビデオ信号中の副映像信号が副映像エンコーダでエンコード（ランレングス符号化）されて副映像のビットマップとなる。
【００２４】
エンコーダ部３０からのエンコード出力信号は、フォーマッタ３２にて所定のＤＶＤのフォーマットに変換され、データプロセッサ部１６に供給される。なお、フォーマッタ３２には、バッファメモリ３４が接続されており、エンコード出力信号がバッファリングされる。具体的には、エンコードされたデジタルビデオ信号、デジタルオーディオ信号、副映像データは、フォーマッタ３２にてパック化され、ビデオパック、オーディオパック、副映像パックとなり、さらにこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。
【００２５】
なお、トランスポートストリームから抽出したパケットエレメンタリーストリームが、エンコーダ部３０から直接ハードディスクドライブ部１４のハードディスクに記録される場合もある。
【００２６】
なお、エンコーダ部３０は、圧縮されたデジタルビデオ信号やデジタルオーディオ信号が直接入力されるときは、圧縮デジタルビデオ信号やデジタルオーディオ信号を直接フォーマッタ３２に供給することもできる。またエンコーダ部３０は、アナログデジタル変換されたデジタルビデオ信号やオーディオ信号を、ビデオミキシング部５６やオーディオセレクタ５２に直接供給することもできる。
【００２７】
フォーマッタ３２でフォーマットデータ（ビデオ、オーディオ、副映像データなどのパック）及び作成された管理情報は、データプロセッサ部１６を介してハードディスクドライブ部１４あるいはデータディスクドライブ部１２に供給され、ハードディスクあるいは光ディスク１０に記録される。またハードディスクあるいは光ディスク１０に記録されたフォーマットデータ及び管理情報は、データプロセッサ部１６、ディスクドライブ部１２を介して光ディスク１０あるいはハードディスクに記録することもできる（ハードディスク→光ディスク／光ディスク→ハードディスク）。
【００２８】
また、データプロセッサ部１６は、ハードディスクあるいは光ディスク１０に記録されている番組データを構成するビデオオブジェクトの一部を削除したり、異なる複数の番組を構成するビデオオブジェクトの一部をつなぎあわせたりする編集処理を行うこともできる。
【００２９】
マイクロコンピュータブロック７０は、ＭＰＵ（マイクロプロセッシングユニット）またはＣＰＵ（セントラルプロセッシングユニット）と、制御プログラム等が書きこまれたＲＯＭと、プログラム実行に必要なワークエリアを提供するためのＲＡＭとを備えている。さらに、マイクロコンピュータブロック７０は、電子番組ガイド（Electronic Program Guide）処理部７０１、録画制御部７０２、再生制御部７０３、編集処理部７０４、表示制御部７０５を備えている。
【００３０】
ＭＰＵの実行結果のうち、ユーザに通知すべき内容は、情報記録再生装置の表示部７４に表示されるか、または情報記録再生装置に接続されるモニターディスプレイにＯＳＤ（オンスクリーンディスプレイ）表示される。なお、表示部７４は、ＦＬ管又はＬＥＤを備え、情報記録再生装置の主電源がオフの状態でも、各種情報を表示することができる。
【００３１】
また、マイクロコンピュータブロック７０は、ネットワークインターフェース７２を介して、外部ネットワークに接続することが可能である。これにより、外部ネットワークを介して電子番組ガイド（Electronic Program Guide）を取り込むことも可能である。
【００３２】
また、マイクロコンピュータブロック７０は、ＳＴＣ（システムタイムクロック）４０からの時間データに基づいて、ディスクドライブ部１２、ハードディスクドライブ部１４、データプロセッサ部１６、エンコーダ部３０、デコーダ部５０などを制御する。なお、録画や再生の動作は、ＳＴＣ４０からのタイムクロックに同期して実行されるが、それ以外の処理はＳＴＣ４０とは独立したタイミングで実行されてもよい。
【００３３】
また、マイクロコンピュータブロック７０にはキー入力部７６からの操作入力信号が入力される。このキー入力部７６は、例えば情報記録再生装置の本体上に設けた操作スイッチ類及び本体から独立したリモートコントローラである。或いは、このキー入力部７６は、情報記録再生装置と有線通信あるいは無線通信により接続されるパーソナルコンピューターであってもよい。キー入力部７６は、例えば、番組ガイド表示キー、カレンダー表示キー、録画予約番組一覧表示キー、再生番組一覧表示キー、削除キー、決定キー、十字キーを備えており、この十字キーは、上下キー及び左右キーを備えている。このキー入力部７６を介しての操作入力（選択操作）に基づき、情報記録再生装置は、番組録画予約、番組録画予約に基づく番組録画、録画番組の再生、再生の停止、録画番組の編集（削除等）などを実行する。
【００３４】
デコーダ部５０は、セパレータ、メモリ、ビデオデコーダ（主映像デコーダ及び副映像デコーダ）、オーディオデコーダ、ビデオプロセッサを備えている。セパレータは、パック構造を持つＤＶＤフォーマットの信号から各パックを分離して取り出す。メモリは、パック分離やその他の信号処理実行時に使用される。主映像デコーダは、セパレータで分離された主映像データ（ビデオパックの内容）をデコードする。副映像デコーダは、セパレータで分離された副映像データ（副映像パックの内容）をデコードする。オーディオデコーダは、セパレータで分離されたオーディオデータ（オーディオパックの内容）をデコードする。ビデオプロセッサは、デコードされた主映像にデコードされた副映像（メニュー、ハイライトボタン、字幕など）を合成する。
【００３５】
デコーダ部５０から出力されるビデオ信号は、ビデオミキシング部５６に入力される。ビデオミキシング部５６は、例えばテキストデータを合成する。またビデオミキシング部５６には、ＡＶ入力部１８a、地上波アナログチューナ１８ｂ、地上波デジタルチューナ１８ｃ、衛星ＢＳ／ＣＳチューナ１８ｄ、衛星アナログチューナ１８ｅからの信号を直接取り込むラインが接続されている。ビデオミキシング部５６には、バッファとして用いるフレームメモリ５８が接続されている。ビデオミキシング部５６から出力されるアナログビデオ信号はＩ／Ｆ（インタフェース）７３を介してそのまま外部へ出力され、ビデオミキシング部５６から出力されるデジタルビデオ信号はデジタルアナログ変換器６２を介してアナログビデオ信号へ変換され外部（例えばモニタ６４）へ出力される。
【００３６】
デコーダ部５０から出力されるデジタルオーディオ信号は、セレクタ５２を介してデジタルアナログ変換器５４でアナログオーディオ信号へ変換され外部（例えばスピーカ）に出力される。セレクタ５２は、マイクロコンピュータブロック７０からのセレクト信号により制御される。これによりセレクタ５２は、ＡＶ入力部１８aや地上波デジタルチューナ１８ｃからのデジタル信号を直接モニタする時、エンコーダ部３０をスルーした信号を直接選択することも可能である。
【００３７】
なお、エンコーダ部３０のフォーマッタは、録画中、切り分け情報を作成し、定期的にマイクロコンピュータブロック７０のＭＰＵへ送る。切り分け情報には、ＶＯＢＵのパック数、ＶＯＢＵの先頭からのIピクチャのエンドアドレス、ＶＯＢＵの再生時間などが含まれる。
【００３８】
また、この情報記録再生装置は、録画番組を構成するデータにアクセス（シーク）している間に、途切れないで録画番組の再生を続けるために、最低限連続させなければならない情報単位を決めている。この情報単位の記録エリアをＣＤＡ（コンティギュアス・データ・エリア）と呼ぶ。ＣＤＡには、ＥＣＣ（エラー訂正コード）ブロック（１６セクタ）の倍数の情報が記録される。
【００３９】
データプロセッサ部１６は、エンコーダ部３０のフォーマッタからＶＯＢＵ単位のデータを受け取り、ＶＯＢＵ単位のデータからＣＤＡ単位のデータを生成し、ＣＤＡ単位のデータをディスクドライブ部１２あるいはハードディスクドライブ部１４に供給する。またマイクロコンピュータブロック７０のＭＰＵは、記録したデータを再生するのに必要な管理情報を作成し、データ記録終了のコマンドを認識すると、作成した管理情報をデータプロセッサ部１６に送る。これにより、管理情報が記録される。
【００４０】
次に、上記説明した情報記録再生装置による予約録画について説明する。番組ガイド表示キーの操作（押下）に対応して、マイクロコンピュータブロック７０の電子番組ガイド処理部７０１及び表示制御部７０５は、電子番組ガイドをモニタ６４に表示する。電子番組ガイドがモニタ６４に表示された状態での十字キーの操作（押下）に対応して、電子番組ガイドの各番組セル上をカーソルが移動する。所望の番組セルにカーソルが位置した状態での決定キーの操作（押下）に対応して、所望の番組が録画予約される。この手順の繰り返しで、複数の番組の録画を予約することができる。録画制御部７０２は、録画予約に基づき番組を録画する。
【００４１】
続いて、上記説明した情報記録再生装置によるカレンダー機能について説明する。カレンダー表示キーの操作（押下）に対応して、マイクロコンピュータブロック７０の表示制御部７０５は、図２に示すような一月分のカレンダーをモニタ６４に表示する。このカレンダーは、１列で１週間を示し１行で同一曜日の異なる複数の日を示す行列により複数週を示すとともに行列により構成される複数のセルのうちの１セルで１日を示す。
【００４２】
このカレンダーの過去の日付に対応する過去セルには、録画番組情報が書き加えられ、未来の日付に対応する未来セルには、録画予約情報が書き加えられている。なお、このカレンダーの現在の日付に対応する現在セルには、録画番組情報及び録画予約情報が混在する。これら現在セル、過去セル、及び未来セルは、色分け等により区別して表示される。図２に示すカレンダーにおいては、１８日を示すセルにカーソルが位置している状態である。なお、図２に示す１日単位のカレンダー以外に、週単位や月単位のカレンダーでもよい。
【００４３】
また、図２に示すカレンダーは、例えば１画面中に１ヶ月分のスケジュール概要を表示することを優先しており、そのため１セルあたりの表示可能な情報量には限界がある。つまり、１セルあたりの表示可能な情報量が定められている。仮に、１セルに対して表示すべき録画番組情報又は録画予約情報の情報量が１セルで表示可能な情報量を超える場合、表示制御部７０５は、表示優先度に基づき１セルで表示する録画予約情報又は録画番組情報を絞り込んで表示する。表示優先度は、例えば、放送時間、嗜好学習結果に基づく推薦度、再生状態（未再生／再生済）、及び放送の規則性（毎週、毎日）に基づき決定される。
【００４４】
また、図２に示すカレンダーには、上記した録画予約情報及び録画番組情報に加えて、図３に示すような各種マークが表示される。例えば、録画予約情報（タイトル）に対応付けて、録画中であることを示すマークが表示される（図２の１８日を示すセルの中の「ニュースＢ」に対応付けられたマーク参照）。
【００４５】
また、推薦番組があれば、推薦番組情報（タイトル）に対応付けて、推薦番組であることを示すマークが表示される（図２の１日を示すセルの中の「野球中継」に対応付けられたマーク参照、さらに図２の２３日を示すセルの中の「野球中継」に対応付けられたマーク参照）。例えば、推薦番組情報は、嗜好性の学習結果及び電子番組ガイドに基づき検索される。マイクロコンピュータブロック７０は、録画制御部７０２及び再生制御部７０３のうちの少なくとも一方の動作（録画予約、録画、再生）に基づき嗜好性を学習し、推薦番組情報はこの嗜好性の学習結果及び電子番組ガイドに基づき検索される。例えば、嗜好性の学習結果から、ユーザの好みが野球中継であることが判明すれば、電子番組ガイドから野球中継が検索され、野球中継を示す番組情報（タイトル）に対して推薦番組であることを示すマークが付与される。
【００４６】
また、録画先の容量不足等が原因で録画予約情報に基づく録画が失敗した場合には、この録画予約情報に対応付けて録画失敗情報が表示される（例えば図２の１７日を示すセルの中の「ドラマＡ」に対応付けられたマーク参照）。
【００４７】
また、自動削除条件が設定（嗜好性の学習結果に基づき自動録画された番組であって所定期間経過した番組は自動削除するなどの設定）されている場合には、自動削除の対象となる録画番組情報に対応付けて自動削除情報が表示される（例えば図２の２２日を示すセルの中の「ワールドサッカー」に対応付けられたマーク参照）。なお、編集処理部７０４は、自動削除条件の設定に基づき、自動削除条件に該当した録画番組を自動削除する。
【００４８】
また、録画予約情報に基づく録画容量不足の発生予測日以降のセル上に録画容量不足発生情報が表示される（例えば図２の３０日以降を示す各セルに対応付けられたマーク参照）。この録画容量不足発生情報を見て、ユーザは近い将来に録画先（例えばハードディスク）の容量不足により録画が失敗する可能性があることを知ることができる。さらに、録画予約情報に基づく録画容量不足の発生予測が、表示部７４のＦＬ管又はＬＥＤにより案内表示される。ＦＬ管又はＬＥＤにより、情報記録再生装置の主電源がオフの状態でも、録画容量不足の発生予測を知ることができる。
【００４９】
図７は、録画容量不足の発生予測処理の一例を示すフローチャートである。図７に示すように、録画制御部７０２は、録画予約情報、録画番組情報（録画済みタイトル情報）、自動削除条件に該当する録画番組情報（自動削除情報）に基づき、録画先（例えばハードディスク）の残容量が０になる時期を計算する。なお、録画先の残容量が所定容量を下回る時期（残容量が残り僅かになる時期）を計算するようにしてもよい（ＳＴ２０１）。
【００５０】
表示制御部７０５は、計算結果に基づき、録画先（例えばハードディスク）の残容量が０になる予測日以降のセル上に録画容量不足発生情報を表示する（ＳＴ２０２）。或いは、表示制御部７０５は、計算結果に基づき、録画先の残容量が所定容量を下回る予測日（残容量が残り僅かになる予測日）以降のセル上に録画容量不足発生情報を表示する。
【００５１】
続いて、図４及び図６を参照して、カレンダーが表示された状態でのキー入力部７６を介してのキー入力操作による各種機能について説明する。
【００５２】
カレンダーが表示され、カレンダーの過去セル上にカーソルが位置した状態で決定キーが押下（過去セルの選択操作）されると（ＳＴ１０１、過去セル）、表示制御部７０５は、選択された過去セルが示す日付に録画された番組情報を一覧出力する（ＳＴ１０２）。さらに、この一覧の中の所定の番組情報上にカーソルが位置した状態で決定キーが押下されると、再生制御部７０３は、所定の番組の再生を開始する（ＳＴ１０３）。
【００５３】
カレンダーの現在セル上にカーソルが位置した状態で決定キーが押下（現在セルの選択操作）されると（ＳＴ１０１、現在セル）、表示制御部７０５は、選択された現在セルが示す日付に録画予約可能な番組情報の一覧（番組表）と実際に録画された番組情報の一覧とを選択する選択メニューを出力する（ＳＴ１０４）。選択メニューを介して録画予約可能な番組情報の一覧が選択されると、表示制御部７０５は、現在セルが示す日付に録画予約可能な番組情報の一覧（番組表）を出力する（ＳＴ１０６）。さらに、この一覧の中の所定の番組情報上にカーソルが位置した状態で決定キーが押下されると、録画制御部７０２は、所定の番組の録画を予約する（ＳＴ１０７）。選択メニューを介して実際に録画された番組情報の一覧が選択されると、表示制御部７０５は、現在セルが示す日付で実際に録画された番組情報の一覧を出力する（ＳＴ１０２）。さらに、この一覧の中の所定の番組情報上にカーソルが位置した状態で決定キーが押下されると、再生制御部７０３は、所定の番組の再生を開始する（ＳＴ１０３）。
【００５４】
カレンダーの未来セル上にカーソルが位置した状態で決定キーが押下（未来セルの選択操作）されると（ＳＴ１０１、未来セル）、表示制御部７０５は、選択された未来セルが示す日付に録画予約可能な番組情報の一覧（番組表）を出力する（ＳＴ１０６）。なお、選択された未来セルが示す日付であって且つ現在時刻を初期値とした電子番組ガイドを表示するようにしてもよい。さらに、この一覧の中の所定の番組情報上にカーソルが位置した状態で決定キーが押下されると、録画制御部７０２は、所定の番組の録画を予約する（ＳＴ１０７）。
【００５５】
なお、セル上にマークが表示されている場合には（ＳＴ１０５、ＹＥＳ）、表示されているマークに応じた選択メニューが出力される。例えば、自動削除を示すマークが表示されている場合には、表示制御部７０５は、削除候補の一覧と選択された未来セルが示す日付に録画予約可能な番組情報の一覧（番組表）とを選択する選択ニューを出力する（ＳＴ１０８）。
【００５６】
選択メニューを介して録画予約可能な番組情報の一覧が選択されると、表示制御部７０５は、現在セルが示す日付に録画予約可能な番組情報の一覧（番組表）を出力する（ＳＴ１０６）。さらに、この一覧の中の所定の番組情報上にカーソルが位置した状態で決定キーが押下されると、録画制御部７０２は、所定の番組の録画を予約する（ＳＴ１０７）。
【００５７】
選択メニューを介して削除候補の一覧が選択されると、表示制御部７０５は、削除候補の一覧を出力する（ＳＴ１０６）。さらに、この一覧の中の所定の番組情報上にカーソルが位置した状態でのキー操作により、所定の番組が即削除されたり、退避（ダビング）されたり、再生されたり、保護（削除禁止状態）されたりする（ＳＴ１１０）。
【００５８】
或いは、録画容量不足発生を示すマークが表示されている場合には、表示制御部７０５は、削除推薦候補の一覧と退避推薦候補の一覧と選択された未来セルが示す日付に録画予約可能な番組情報の一覧（番組表）とを選択する選択ニューを出力する（ＳＴ１１１）。
【００５９】
選択メニューを介して録画予約可能な番組情報の一覧が選択されると、表示制御部７０５は、現在セルが示す日付に録画予約可能な番組情報の一覧（番組表）を出力する（ＳＴ１０６）。さらに、この一覧の中の所定の番組情報上にカーソルが位置した状態で決定キーが押下されると、録画制御部７０２は、所定の番組の録画を予約する（ＳＴ１０７）。
【００６０】
選択メニューを介して削除推薦候補の一覧が選択されると、表示制御部７０５は、削除推薦候補の一覧を出力する（ＳＴ１１２）。さらに、この一覧の中の所定の番組情報上にカーソルが位置した状態でのキー操作により、所定の番組が即削除されたり、退避（ダビング）されたり、再生されたりする（ＳＴ１１３）。
【００６１】
選択メニューを介して退避推薦候補の一覧が選択されると、表示制御部７０５は、退避推薦候補の一覧を出力する（ＳＴ１１５）。さらに、この一覧の中の所定の番組情報上にカーソルが位置した状態でのキー操作により、所定の番組が即削除されたり、退避（ダビング）されたり、再生されたりする（ＳＴ１１６）。
【００６２】
或いは、自動削除を示すマークと録画容量不足発生を示すマークとが表示されている場合には、表示制御部７０５は、削除候補の一覧と削除推薦候補の一覧と退避推薦候補の一覧と選択された未来セルが示す日付に録画予約可能な番組情報の一覧（番組表）とを選択する選択ニューを出力する（ＳＴ１１４）。選択メニューを介しての選択操作は、上記説明と重複するので、説明を省略する。
【００６３】
また、図４に示すカレンダー機能の替わりに、図５に示すカレンダー機能を採用するようにしてもよい。例えば、録画失敗を示すマークを含む過去セルにカーソルが位置した状態で決定キーが押下（録画失敗を示すマークの選択操作）されると、表示制御部７０５は、再予約と、選択された過去セルが示す日付に録画された番組情報の一覧とを選択する選択メニューを出力する。選択メニューを介して再予約が選択されると、録画制御部７０２は、電子番組ガイドの中から録画に失敗した番組（例えば再放送番組）を再検索し、録画に失敗した番組の録画を再予約する。
【００６４】
また、録画中であることを示すマークを含む現在セルにカーソルが位置した状態で決定キーが押下（現在セルの選択操作）されると、表示制御部７０５は、選択された現在セルが示す日付に録画予約可能な番組情報の一覧（番組表）と、実際に録画された番組情報の一覧と、録画中止とを選択する選択メニューを出力する。選択メニューを介して録画中止が選択されると、録画制御部７０２は、録画を中止する。
【００６５】
また、上記説明では、カレンダー上の過去セル、現在セル、未来セルの選択に対応した各種表示や機能について説明したが、カレンダー上の行または列を選択することにより（図６のＳＴ１１７）、次のような表示や機能を得ることもできる。
【００６６】
例えば、表示制御部７０５は、１行の選択操作（例えば曜日表示の選択操作）に基づき、選択された１行に１又は複数の過去セルが含まれる場合に、この１又は複数の過去セルが示す日付に録画された番組情報を一覧出力し、選択された１行に１又は複数の未来セルが含まれる場合に、この１又は複数の未来セルが示す日付に録画予約可能な番組情報を一覧出力する。
【００６７】
また、表示制御部７０５は、１列の選択操作（例えば列の先頭セルの左側の選択操作）に基づき、選択された１列に１又は複数の過去セルが含まれる場合に、この１又は複数の過去セルが示す日付に録画された番組情報を一覧出力し、選択された１列に１又は複数の未来セルが含まれる場合に、この１又は複数の未来セルが示す日付に録画予約可能な番組情報を一覧出力する。
【００６８】
以下に、上記したカレンダー機能をまとめる。
【００６９】
（１）カレンダー上の１日単位のセルに、録画番組情報及び録画予約情報を表示する。
【００７０】
（２）１セル上の表示可能情報量には限界があり、表示すべき録画番組情報及び録画予約情報が、１セル上の表示可能情報量を超える場合は、優先度の高い情報のみを表示する。
【００７１】
（３）カレンダー上の未来セルが選択されると、選択された未来セルが示す日付に録画予約可能な番組情報の一覧が表示される。過去セルが選択されると、選択された過去セルが示す日付に録画された番組情報を一覧が表示される。
【００７２】
（４）カレンダー上にセルに録画失敗情報を表示する。録画失敗情報の選択操作に対応して、録画に失敗した番組を検索し、再予約する。
【００７３】
（５）カレンダー上に推薦番組情報を表示する。
【００７４】
（６）カレンダー上に録画先の残容量が０になる（録画出来なくなる）時間情報（日等）を表示する。録画容量不足発生情報の選択操作に対応して、削除推薦番組情報を表示し、簡単操作で削除推薦番組の削除を受け付ける。
【００７５】
（７）録画先の残容量が０になる（録画出来なくなる）予測日の数日前からＦＬ管やＬＥＤにその旨を表示する。
【００７６】
（８）カレンダー上に自動削除情報（自動削除日等）を表示する。自動削除情報の選択操作に対応して、自動削除予定番組情報を表示し、簡単操作で自動削除予定番組の削除、保護（自動削除取消）、複写、又は移動を受け付ける。
【００７７】
（９）自動削除予定日の数日前からＦＬ管やＬＥＤにその旨表示する。
【００７８】
以上説明したように、時刻軸を持たない日単位、週単位、月単位等のカレンダーのセル上に、優先度の高い録画予約情報や優先度の高い録画番組情報を表示する。これにより、レコーダの基本機能である「録る、見る、残す、消す」がカレンダー上から簡単かつ確実に素早くできるようになる。
【００７９】
具体的には、以下のような効果が得られる。
【００８０】
（１）直感的な予約、再生操作
（２）週間性の放送番組の予約の確認が容易
（３）自分の好みに合った番組の存在認知
（４）録画失敗の事前回避
（５）録画番組の誤削除の事前回避
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００８１】
以下、本願の原出願の出願当初の特許請求の範囲に記載された発明を付記する。
【００８２】
［１］  
番組の録画を予約し、録画予約に基づき番組を録画する録画手段と、
１列で１週間を示し１行で同一曜日の異なる複数の日を示す行列により複数週を示すとともに行列により構成される複数のセルのうちの１セルで１日を示すカレンダーを保持し、このカレンダーの過去の日付に対応する過去セルに録画番組情報を書き加え、未来の日付に対応する未来セルに録画予約情報を書き加えた録画案内を出力する録画案内手段と、
前記カレンダー上の情報の選択操作を入力する選択操作入力手段と、
前記カレンダー上の録画番組情報の選択操作に基づき録画番組を再生する再生手段と、
を備えたことを特徴とする番組録画再生装置。
【００８３】
［２］  
前記録画案内手段は、過去セルと未来セルとを区別した前記カレンダーを出力することを特徴とする［１］に記載の番組録画再生装置。
【００８４】
［３］  
前記録画案内手段は、過去セルの選択操作に基づき、選択された過去セルが示す日付に録画された番組情報を一覧出力することを特徴とする［２］に記載の番組録画再生装置。
【００８５】
［４］  
前記録画案内手段は、未来セルの選択操作に基づき、選択された未来セルが示す日付に録画予約可能な番組情報を一覧出力することを特徴とする［２］に記載の番組録画再生装置。
【００８６】
［５］  
前記録画案内手段は、１行の選択操作に基づき、選択された１行に１又は複数の過去セルが含まれる場合に、この１又は複数の過去セルが示す日付に録画された番組情報を一覧出力し、選択された１行に１又は複数の未来セルが含まれる場合に、この１又は複数の未来セルが示す日付に録画予約可能な番組情報を一覧出力することを特徴とする［１］に記載の番組録画再生装置。
【００８７】
［６］  
前記録画案内手段は、１列の選択操作に基づき、選択された１列に１又は複数の過去セルが含まれる場合に、この１又は複数の過去セルが示す日付に録画された番組情報を一覧出力し、選択された１列に１又は複数の未来セルが含まれる場合に、この１又は複数の未来セルが示す日付に録画予約可能な番組情報を一覧出力することを特徴とする［１］に記載の番組録画再生装置。
【００８８】
［７］  
前記録画案内手段は、１セルに対して表示すべき録画番組情報又は録画予約情報の情報量が１セルで表示可能な情報量を超える場合、表示優先度に基づき１セルで表示する録画予約情報又は録画番組情報を絞り込むことを特徴とする［１］に記載の番組録画再生装置。
【００８９】
［８］  
前記録画案内手段は、所定の録画予約情報に基づく所定の番組の録画が失敗した場合、前記所定の録画予約情報に対応付けて録画失敗情報を書き加えることを特徴とする［１］に記載の番組録画再生装置。
【００９０】
［９］  
前記録画手段は、前記録画失敗情報の選択操作に基づき前記所定の番組を再検索し、前記所定の番組の録画を再予約することを特徴とする［８］に記載の番組録画再生装置。
【００９１】
［１０］  
前記録画案内手段は、前記セルに対して推薦番組情報を書き加えることを特徴とする［１］に記載の番組録画再生装置。
【００９２】
［１１］  
前記録画手段及び前記再生手段のうちの少なくとも一方の動作に基づき、嗜好性を学習する学習手段を備え、
前記録画案内手段は、前記セルに対して、前記学習手段の嗜好性学習に基づき選出される推薦番組情報を書き加えることを特徴とする［１］に記載の番組録画再生装置。
【００９３】
［１２］  
前記録画案内手段は、録画予約情報に基づく録画容量不足の発生予測日に対応するセル上に録画容量不足発生情報を書き加えることを特徴とする［１］に記載の番組録画再生装置。
【００９４】
［１３］  
前記録画案内手段は、削除条件の設定に基づき、前記録画番組情報に対応付けて削除推薦情報を書き加えることを特徴とする［１］に記載の番組録画再生装置。
【００９５】
［１４］  
録画予約情報に基づく録画容量不足の発生予測を案内する容量不足案内手段を備えたことを特徴とする［１］に記載の番組録画再生装置。
【００９６】
［１５］  
削除条件の設定に基づき、削除条件に該当する録画番組を削除する削除手段を備え、
前記録画案内手段は、前記削除手段による削除対象の録画番組情報に対応付けて削除予定情報を書き加えることを特徴とする［１］に記載の番組録画再生装置。
【００９７】
［１６］  
前記削除条件に基づく削除予測を案内する削除案内手段を備えたことを特徴とする［１５］に記載の番組録画再生装置。
【００９８】
［１７］  
番組の録画を予約し、
１列で１週間を示し１行で同一曜日の異なる複数の日を示す行列により複数週を示すとともに行列により構成される複数のセルのうちの１セルで１日を示すカレンダーを保持し、このカレンダーの未来の日付に対応する未来セルに録画予約情報を書き加え、
録画予約情報に基づき番組を録画し、
前記カレンダーの過去の日付に対応する過去セルに録画番組情報を書き加え、
前記録画予約情報及び前記録画番組情報が書き加えられた前記カレンダーを出力する、
ことを特徴とする番組録画再生方法。
【符号の説明】
【００９９】
１２…ディスクドライブ部、１４…ハードディスク部、３０…エンコーダ部、５０…デコーダ部、７０…マイクロコンピュータブロック、７０１…電子番組ガイド処理部、７０２…録画制御部、７０３…再生制御部、７０４…編集処理部、７０５…表示制御部
【図１】
0005684210.tif 000002
【図２】
0005684210.tif 000003
【図３】
0005684210.tif 000004
【図４】
0005684210.tif 000005
【図５】
0005684210.tif 000006
【図６】
0005684210.tif 000007
【図７】
0005684210.tif 000008